(57)【要約】      （修正有）【課題】時間軸上のデータ衝突を回避する無線通信方式において、長距離通信及び短距離通信を混在させるにあたり、短距離通信の伝送効率を下げることなく、前後スロット間のデータ干渉を防止する。【解決手段】長距離通信に割り付けられるスロットのうち、ペイロードより先行する期間に、長距離通信の伝搬路長に応じた長さのガードタイムを設定することで、短距離通信パケットが前スロットで送信され、長距離通信パケットが後スロットで送信され、前後スロット間の干渉が発生している場合でも、前後スロット間のデータ干渉を防止する。短距離通信に割り付けられるスロットのうち、ペイロードに後続する期間に、短距離通信の伝搬路長に応じた長さのバッファタイムを設定することで、短距離通信の伝送効率を下げることなく、短距離通信に割り付けられる前後スロット間のデータ干渉を防止する。【選択図】図８
2016201674.tif 000002
【特許請求の範囲】
【請求項１】
時間軸上のデータ衝突を回避する無線通信方式に適用され、
送信先又は送信元が、長距離通信を行う長距離通信ノードであるか、短距離通信を行う短距離通信ノードであるか、を判別する無線ノード判別部と、
前記送信先又は前記送信元が、長距離通信を行う長距離通信ノードであるときに、長距離通信の伝搬路長に応じた所定長さのギャップタイムを、当該通信に割り付けられるスロットのうち、ペイロードより先行する期間に設定するギャップタイム制御部と、
を備える通信制御装置。
【請求項２】
時間軸上のデータ衝突を回避する無線通信方式に適用され、
送受信間の伝搬路長が、所定閾値より長いか短いかを判別する伝搬路長判別部と、
前記送受信間の伝搬路長が、前記所定閾値より長いときに、前記送受信間の伝搬路長に応じた長さのギャップタイムを、当該通信に割り付けられるスロットのうち、ペイロードより先行する期間に設定するギャップタイム制御部と、
を備える通信制御装置。
【請求項３】
時間軸上のデータ衝突を回避する無線通信方式に適用され、
送信元から送信先への伝搬路長に対して前記送信元から他ノードへの平均伝搬路長を減算した差分が、０より大きい所定閾値より長いか短いかを判別する伝搬路長判別部と、
前記差分が、前記０より大きい所定閾値より長いときに、前記送信元から前記送信先への伝搬路長に応じた長さのギャップタイムを、当該通信に割り付けられるスロットのうち、ペイロードより先行する期間に設定するギャップタイム制御部と、
を備える通信制御装置。
【請求項４】
時間軸上のデータ衝突を回避する無線通信方式に適用され、
送信先又は送信元が、長距離通信を行う長距離通信ノードであるか、短距離通信を行う短距離通信ノードであるか、を判別する無線ノード判別部と、
前記送信先及び前記送信元が、短距離通信を行う短距離通信ノードであるときに、短距離通信の伝搬路長に応じた所定長さのギャップタイムを、当該通信に割り付けられるスロットのうち、ペイロードに後続する期間に設定するギャップタイム制御部と、
を備える通信制御装置。
【請求項５】
時間軸上のデータ衝突を回避する無線通信方式に適用され、
送受信間の伝搬路長が、所定閾値より長いか短いかを判別する伝搬路長判別部と、
前記送受信間の伝搬路長が、前記所定閾値より短いときに、前記送受信間の伝搬路長に応じた長さのギャップタイムを、当該通信に割り付けられるスロットのうち、ペイロードに後続する期間に設定するギャップタイム制御部と、
を備える通信制御装置。
【請求項６】
時間軸上のデータ衝突を回避する無線通信方式に適用され、
送信元から送信先への伝搬路長に対して前記送信元から他ノードへの平均伝搬路長を減算した差分が、０より大きい所定閾値より長いか短いかを判別する伝搬路長判別部と、
前記差分が、前記０より大きい所定閾値より短いときに、前記送信元から前記送信先への伝搬路長に応じた長さのギャップタイムを、当該通信に割り付けられるスロットのうち、ペイロードに後続する期間に設定するギャップタイム制御部と、
を備える通信制御装置。
【請求項７】
前記ギャップタイム制御部は、当該通信の伝搬路長が長いほど、ギャップタイムを長く設定する、請求項２、３、５、６のいずれかに記載の通信制御装置。
【発明の詳細な説明】
【技術分野】
【０００１】
本発明は、時間軸上のデータ衝突を回避する無線通信方式に関する。
【背景技術】
【０００２】
時間軸上のデータ衝突を回避する無線通信方式として、ＴＤＭＡ方式、アロハ予約方式、ＣＳＭＡ／ＣＤ方式及びＣＳＭＡ／ＣＡ方式等がある。そして、前後パケット間の伝搬遅延差による前後スロット間のデータ干渉を防止するために、ペイロードに後続する期間に、無送信部分であるバッファを設定している（例えば、特許文献１を参照。）。
【先行技術文献】
【特許文献】
【０００３】
【特許文献１】特開２００５−１３０１５１号公報
【発明の概要】
【発明が解決しようとする課題】
【０００４】
ところで、長距離及び短距離の通信の混在システムでは、長距離及び短距離の通信パケットが混在する。ここで、長距離通信パケットは、ペイロードに後続する期間に、長距離通信の伝搬路長に応じた長いバッファを設定しなければならない。そこで、短距離通信パケットも、ペイロードに後続する期間に、長距離通信の伝搬路長に応じた長いバッファを設定することが考えられる。すると、短距離通信の伝送効率が、長距離通信の伝送効率と同様に、下がってしまう。そこで、短距離通信パケットは、ペイロードに後続する期間に、短距離通信の伝搬路長に応じた短いバッファを設定することが考えられる。
【０００５】
長距離及び短距離の通信パケットが、以上に説明したようにバッファを設定している場合において、前後スロット間の干渉がどのようになるかを図１に示す。
【０００６】
図１の上段では、長距離通信パケットが前スロットで送信され、短距離通信パケットが後スロットで送信され、前後スロット間の干渉が発生している。例えば、ある無線端末が、前スロットにおいて、遠距離にある無線端末から長距離通信パケットを受信しており、後スロットにおいて、近距離にある無線端末から短距離通信パケットを受信している。
【０００７】
最悪の場合には、前後スロット間の干渉時間は、長距離通信で想定される前後スロット間の最大干渉時間となる。ここで、前スロットで送信された長距離通信パケットは、ペイロードに後続する期間に、長距離通信の伝搬路長に応じた長いバッファを設定している。よって、前後スロット間のデータ干渉が発生する可能性が低い。
【０００８】
図１の下段では、短距離通信パケットが前スロットで送信され、長距離通信パケットが後スロットで送信され、前後スロット間の干渉が発生している。例えば、ある無線端末が、前スロットにおいて、遠距離にある無線端末から短距離通信パケットを受信しており、後スロットにおいて、近距離にある無線端末から長距離通信パケットを受信している。
【０００９】
最悪の場合には、前後スロット間の干渉時間は、長距離通信で想定される前後スロット間の最大干渉時間となる。ここで、前スロットで送信された短距離通信パケットは、ペイロードに後続する期間に、短距離通信の伝搬路長に応じた短いバッファを設定している。よって、前後スロット間のデータ干渉が発生する可能性が高い。
【００１０】
そこで、前記課題を解決するために、本発明は、時間軸上のデータ衝突を回避する無線通信方式において、長距離通信及び短距離通信を混在させるにあたり、短距離通信の伝送効率を下げることなく、前後スロット間のデータ干渉を防止することを目的とする。
【課題を解決するための手段】
【００１１】
上記目的を達成するために、長距離通信に割り付けられるスロットのうち、ペイロードより先行する期間に、長距離通信の伝搬路長に応じた長さのギャップタイムを設定する。長距離通信を短距離通信と区別する方法として、以下の３種等があげられる。
【００１２】
具体的には、本発明は、時間軸上のデータ衝突を回避する無線通信方式に適用され、送信先又は送信元が、長距離通信を行う長距離通信ノードであるか、短距離通信を行う短距離通信ノードであるか、を判別する無線ノード判別部と、前記送信先又は前記送信元が、長距離通信を行う長距離通信ノードであるときに、長距離通信の伝搬路長に応じた所定長さのギャップタイムを、当該通信に割り付けられるスロットのうち、ペイロードより先行する期間に設定するギャップタイム制御部と、を備える通信制御装置である。
【００１３】
この構成によれば、短距離通信パケットが前スロットで送信され、長距離通信パケットが後スロットで送信され、前後スロット間の干渉が発生している場合でも、前後スロット間のデータ干渉を防止することができる。そして、送信先又は送信元の種別情報に基づいて、長距離通信を短距離通信と簡便に区別することができる。
【００１４】
また、本発明は、時間軸上のデータ衝突を回避する無線通信方式に適用され、送受信間の伝搬路長が、所定閾値より長いか短いかを判別する伝搬路長判別部と、前記送受信間の伝搬路長が、前記所定閾値より長いときに、前記送受信間の伝搬路長に応じた長さのギャップタイムを、当該通信に割り付けられるスロットのうち、ペイロードより先行する期間に設定するギャップタイム制御部と、を備える通信制御装置である。
【００１５】
この構成によれば、短距離通信パケットが前スロットで送信され、長距離通信パケットが後スロットで送信され、前後スロット間の干渉が発生している場合でも、前後スロット間のデータ干渉を防止することができる。そして、送信元から送信先への伝搬路長に基づいて、長距離通信を短距離通信と精度よく区別することができる。
【００１６】
また、本発明は、時間軸上のデータ衝突を回避する無線通信方式に適用され、送信元から送信先への伝搬路長に対して前記送信元から他ノードへの平均伝搬路長を減算した差分が、０より大きい所定閾値より長いか短いかを判別する伝搬路長判別部と、前記差分が、前記０より大きい所定閾値より長いときに、前記送信元から前記送信先への伝搬路長に応じた長さのギャップタイムを、当該通信に割り付けられるスロットのうち、ペイロードより先行する期間に設定するギャップタイム制御部と、を備える通信制御装置である。
【００１７】
この構成によれば、短距離通信パケットが前スロットで送信され、長距離通信パケットが後スロットで送信され、前後スロット間の干渉が発生している場合でも、前後スロット間のデータ干渉を防止することができる。そして、送信元から送信先への伝搬路長に基づいて、長距離通信を短距離通信と精度よく区別することができる。
【００１８】
また、本発明は、前記ギャップタイム制御部は、当該通信の伝搬路長が長いほど、ギャップタイムを長く設定する通信制御装置である。
【００１９】
この構成によれば、送信元から送信先への伝搬路長を多段階に分類することにより、ペイロードより先行するギャップタイムを多段階に設定することができる。
【００２０】
上記目的を達成するために、短距離通信に割り付けられるスロットのうち、ペイロードに後続する期間に、短距離通信の伝搬路長に応じた長さのギャップタイムを設定する。短距離通信を長距離通信と区別する方法として、以下の３種等があげられる。
【００２１】
具体的には、本発明は、時間軸上のデータ衝突を回避する無線通信方式に適用され、送信先又は送信元が、長距離通信を行う長距離通信ノードであるか、短距離通信を行う短距離通信ノードであるか、を判別する無線ノード判別部と、前記送信先及び前記送信元が、短距離通信を行う短距離通信ノードであるときに、短距離通信の伝搬路長に応じた所定長さのギャップタイムを、当該通信に割り付けられるスロットのうち、ペイロードに後続する期間に設定するギャップタイム制御部と、を備える通信制御装置である。
【００２２】
この構成によれば、短距離通信の伝送効率を下げることなく、短距離通信に割り付けられる前後スロット間のデータ干渉を防止することができる。そして、送信先及び送信元の種別情報に基づいて、短距離通信を長距離通信と簡便に区別することができる。
【００２３】
また、本発明は、時間軸上のデータ衝突を回避する無線通信方式に適用され、送受信間の伝搬路長が、所定閾値より長いか短いかを判別する伝搬路長判別部と、前記送受信間の伝搬路長が、前記所定閾値より短いときに、前記送受信間の伝搬路長に応じた長さのギャップタイムを、当該通信に割り付けられるスロットのうち、ペイロードに後続する期間に設定するギャップタイム制御部と、を備える通信制御装置である。
【００２４】
この構成によれば、短距離通信の伝送効率を下げることなく、短距離通信に割り付けられる前後スロット間のデータ干渉を防止することができる。そして、送信元から送信先への伝搬路長に基づいて、短距離通信を長距離通信と精度よく区別することができる。
【００２５】
また、本発明は、時間軸上のデータ衝突を回避する無線通信方式に適用され、送信元から送信先への伝搬路長に対して前記送信元から他ノードへの平均伝搬路長を減算した差分が、０より大きい所定閾値より長いか短いかを判別する伝搬路長判別部と、前記差分が、前記０より大きい所定閾値より短いときに、前記送信元から前記送信先への伝搬路長に応じた長さのギャップタイムを、当該通信に割り付けられるスロットのうち、ペイロードに後続する期間に設定するギャップタイム制御部と、を備える通信制御装置である。
【００２６】
この構成によれば、短距離通信の伝送効率を下げることなく、短距離通信に割り付けられる前後スロット間のデータ干渉を防止することができる。そして、送信元から送信先への伝搬路長に基づいて、短距離通信を長距離通信と精度よく区別することができる。
【００２７】
また、本発明は、前記ギャップタイム制御部は、当該通信の伝搬路長が長いほど、ギャップタイムを長く設定する通信制御装置である。
【００２８】
この構成によれば、送信元から送信先への伝搬路長を多段階に分類することにより、ペイロードに後続するギャップタイムを多段階に設定することができる。
【発明の効果】
【００２９】
このように、本発明は、時間軸上のデータ衝突を回避する無線通信方式において、長距離通信及び短距離通信を混在させるにあたり、短距離通信の伝送効率を下げることなく、前後スロット間のデータ干渉を防止することができる。
【図面の簡単な説明】
【００３０】
【図１】従来技術の前後スロット間の干渉を示す図である。
【図２】本発明の長距離及び短距離の通信の混在システムを示す図である。
【図３】本発明の通信制御装置の構成を示す図である。
【図４】本発明の通信制御装置の構成を示す図である。
【図５】本発明の通信制御装置の構成を示す図である。
【図６】本発明の長距離通信パケットの構成を示す図である。
【図７】本発明の短距離通信パケットの構成を示す図である。
【図８】本発明の前後スロット間の干渉を示す図である。
【発明を実施するための形態】
【００３１】
添付の図面を参照して本発明の実施形態を説明する。以下に説明する実施形態は本発明の実施の例であり、本発明は以下の実施形態に制限されるものではない。
【００３２】
本発明の長距離及び短距離の通信の混在システムを図２に示す。長距離及び短距離の通信の混在システムは、無線端末Ｗ１、Ｗ２、Ｗ３及び不図示の数多くの他端末から構成される。長距離及び短距離の通信の混在システムは、時間軸上のデータ衝突を回避する無線通信方式（ＴＤＭＡ方式、アロハ予約方式、ＣＳＭＡ／ＣＤ方式及びＣＳＭＡ／ＣＡ方式等）において、長距離通信及び短距離通信を同一周波数で混在させる。無線端末Ｗ１及び無線端末Ｗ３の間で、並びに、無線端末Ｗ２及び無線端末Ｗ３の間で、長距離通信が行われる。無線端末Ｗ１及び無線端末Ｗ２の間で、短距離通信が行われる。
【００３３】
本発明の通信制御装置の構成を図３〜５に示す。図３の通信制御装置１−１は、無線ノード判別部１１−１及びギャップタイム制御部１２−１から構成される。図４の通信制御装置１−２は、伝搬路長判別部１１−２及びギャップタイム制御部１２−２から構成される。図５の通信制御装置１−３は、伝搬路長判別部１１−３及びギャップタイム制御部１２−３から構成される。通信制御装置１−１、１−２、１−３は、長距離通信及び短距離通信に応じて、ギャップタイムの配置及び長さを制御する。図２に示したように、通信制御装置１−１、１−２、１−３は、無線端末Ｗ１、Ｗ２、Ｗ３の内部に配置されてもよく、無線端末Ｗ１、Ｗ２、Ｗ３と独立に配置されてもよい。
【００３４】
図３の無線ノード判別部１１−１は、送信先又は送信元が、長距離通信を行う長距離通信ノードであるか、短距離通信を行う短距離通信ノードであるか、を判別する。例えば、無線ノード判別部１１は、送信先又は送信元の種別情報（送信先又は送信元が、通信衛星等であるか、地上端末等であるか、を示す情報）を参照する。よって、無線ノード判別部１１−１は、当該通信が長距離通信及び短距離通信のいずれであるかを簡便に区別する。
【００３５】
図４の伝搬路長判別部１１−２は、送受信間の伝搬路長Ｌが、所定閾値ｔｈより長いか短いかを判別する。例えば、伝搬路長判別部１１−２は、送信元及び送信先の位置情報に基づいて、送受信間の伝搬路長Ｌを計算する。よって、伝搬路長判別部１１−２は、当該通信が長距離通信及び短距離通信のいずれであるかを精度よく区別する。
【００３６】
図５の伝搬路長判別部１１−３は、送信元から送信先への伝搬路長Ｌに対して送信元から他ノードへの平均伝搬路長Ｌａを減算した差分δ（＝Ｌ−Ｌａ）が、０より大きい所定閾値ｔｈより長いか短いかを判別する。例えば、伝搬路長判別部１１−３は、送信元、送信先及び他ノードの位置情報に基づいて、送信元から送信先への伝搬路長Ｌ及び送信元から他ノードへの平均伝搬路長Ｌａを計算する。よって、伝搬路長判別部１１−３は、当該通信が長距離通信及び短距離通信のいずれであるかを精度よく区別する。
【００３７】
図３〜５のギャップタイム制御部１２−１、１２−２、１２−３は、当該通信が長距離通信であるときに、長距離通信の伝搬路長に応じた長さのギャップタイムを、当該通信に割り付けられるスロットのうち、ペイロードより先行する期間に設定する。
【００３８】
そして、図３〜５のギャップタイム制御部１２−１、１２−２、１２−３は、当該通信が長距離通信であるときに、長距離通信の伝搬路長に応じた長さのギャップタイムを、当該通信に割り付けられるスロットのうち、ペイロードに後続する期間にも設定する。
【００３９】
一方で、図３〜５のギャップタイム制御部１２−１、１２−２、１２−３は、当該通信が短距離通信であるときに、短距離通信の伝搬路長に応じた長さのギャップタイムを、当該通信に割り付けられるスロットのうち、ペイロードに後続する期間に設定する。
【００４０】
本発明の長距離及び短距離の通信パケットの構成を図６及び図７に示す。
【００４１】
図６に示したように、長距離通信パケットは、先頭から後尾へと、ガード（ペイロードより先行するギャップタイムの一部に相当）、Ｒａｍｐ  ｕｐ（ペイロードより先行するギャップタイムの一部に相当）、Ｔｒａｉｎｉｎｇ  ｓｅｑｕｅｎｃｅ、データ、ＦＣＳ、Ｅｎｄ  ｆｌａｇ及びバッファ（ペイロードに後続するギャップタイムに相当）を有する。
【００４２】
長距離通信パケットにおいて、ガード及びＲａｍｐ  ｕｐの時間長の合計Ｇは、長距離通信で想定される前後スロット間の最大干渉時間に対して、短距離通信パケットのバッファの時間長Ｂｓ（図７で後述する。）を減算した差分以上の時間に設定される。
【００４３】
図３の通信制御装置１−１では、長距離通信で想定される前後スロット間の最大干渉時間は、長距離通信で想定される最長通信距離Ｌｌを無線信号の伝搬速度ｃで除算した時間Ｌｌ／ｃであり、ガード及びＲａｍｐ  ｕｐの時間長の合計Ｇは、Ｌｌ／ｃ−Ｂｓ以上であり、送受信間の伝搬路長Ｌによらない所定長さのギャップタイムである。
【００４４】
図４の通信制御装置１−２では、長距離通信で想定される前後スロット間の最大干渉時間は、送受信間の伝搬路長Ｌを無線信号の伝搬速度ｃで除算した時間Ｌ／ｃであり、ガード及びＲａｍｐ  ｕｐの時間長の合計Ｇは、Ｌ／ｃ−Ｂｓ以上である。
【００４５】
図５の通信制御装置１−３では、長距離通信で想定される前後スロット間の最大干渉時間は、送信元から送信先への伝搬路長Ｌを無線信号の伝搬速度ｃで除算した時間Ｌ／ｃであり、ガード及びＲａｍｐ  ｕｐの時間長の合計Ｇは、Ｌ／ｃ−Ｂｓ以上である。
【００４６】
長距離通信パケットにおいて、バッファの時間長Ｂｌは、長距離通信で想定される前後スロット間の最大干渉時間以上の時間に設定される。
【００４７】
図３の通信制御装置１−１では、長距離通信で想定される前後スロット間の最大干渉時間は、長距離通信で想定される最長通信距離Ｌｌを無線信号の伝搬速度ｃで除算した時間Ｌｌ／ｃであり、バッファの時間長Ｂｌは、Ｌｌ／ｃ以上であり、送受信間の伝搬路長Ｌによらない所定長さのギャップタイムである。
【００４８】
図４の通信制御装置１−２では、長距離通信で想定される前後スロット間の最大干渉時間は、送受信間の伝搬路長Ｌを無線信号の伝搬速度ｃで除算した時間Ｌ／ｃであり、バッファの時間長Ｂｌは、Ｌ／ｃ以上である。
【００４９】
図５の通信制御装置１−３では、長距離通信で想定される前後スロット間の最大干渉時間は、送信元から送信先への伝搬路長Ｌを無線信号の伝搬速度ｃで除算した時間Ｌ／ｃであり、バッファの時間長Ｂｌは、Ｌ／ｃ以上である。
【００５０】
ここで、長距離通信パケットでは、ガード及びバッファのビット長が長いため、データのビット長が短くなる。しかし、長距離通信のデータ量は少ないため、問題はない。
【００５１】
図７に示したように、短距離通信パケットは、先頭から後尾へと、Ｒａｍｐ  ｕｐ、Ｔｒａｉｎｉｎｇ  ｓｅｑｕｅｎｃｅ、データ、ＦＣＳ、Ｅｎｄ  ｆｌａｇ及びバッファ（ペイロードに後続するギャップタイムに相当）を有する。
【００５２】
短距離通信パケットにおいて、バッファの時間長Ｂｓは、短距離通信で想定される前後スロット間の最大干渉時間以上の時間に設定される。
【００５３】
図３の通信制御装置１−１では、短距離通信で想定される前後スロット間の最大干渉時間は、短距離通信で想定される最長通信距離Ｌｓを無線信号の伝搬速度ｃで除算した時間Ｌｓ／ｃであり、バッファの時間長Ｂｓは、Ｌｓ／ｃ以上であり、送受信間の伝搬路長Ｌによらない所定長さのギャップタイムである。
【００５４】
図４の通信制御装置１−２では、短距離通信で想定される前後スロット間の最大干渉時間は、送受信間の伝搬路長Ｌを無線信号の伝搬速度ｃで除算した時間Ｌ／ｃであり、バッファの時間長Ｂｓは、Ｌ／ｃ以上である。
【００５５】
図５の通信制御装置１−３では、短距離通信で想定される前後スロット間の最大干渉時間は、送信元から送信先への伝搬路長Ｌを無線信号の伝搬速度ｃで除算した時間Ｌ／ｃであり、バッファの時間長Ｂｓは、Ｌ／ｃ以上である。
【００５６】
ここで、短距離通信パケットでは、バッファのビット長が短いため、データのビット長が長くなる。よって、短距離通信の伝送効率は下がらず、効果的である。
【００５７】
長距離及び短距離の通信パケットが、以上に説明したようにガード及びバッファを設定している場合において、前後スロット間の干渉がどのようになるかを図８に示す。
【００５８】
図８の上段では、長距離通信パケットが前スロットで送信され、短距離通信パケットが後スロットで送信され、前後スロット間の干渉が発生している。例えば、ある無線端末が、前スロットにおいて、遠距離にある無線端末から長距離通信パケットを受信しており、後スロットにおいて、近距離にある無線端末から短距離通信パケットを受信している。
【００５９】
最悪の場合には、前後スロット間の干渉時間は、長距離通信で想定される前後スロット間の最大干渉時間となる。ここで、前スロットで送信された長距離通信パケットは、ペイロードに後続する期間に、長距離通信の伝搬路長に応じた長いバッファを設定している。よって、前後スロット間のデータ干渉が発生する可能性が低い。
【００６０】
図８の下段では、短距離通信パケットが前スロットで送信され、長距離通信パケットが後スロットで送信され、前後スロット間の干渉が発生している。例えば、ある無線端末が、前スロットにおいて、遠距離にある無線端末から短距離通信パケットを受信しており、後スロットにおいて、近距離にある無線端末から長距離通信パケットを受信している。
【００６１】
最悪の場合には、前後スロット間の干渉時間は、長距離通信で想定される前後スロット間の最大干渉時間となる。ここで、後スロットで送信された長距離通信パケットは、ペイロードより先行する期間に、長距離通信の伝搬路長に応じた長いガードを設定している。よって、前後スロット間のデータ干渉が発生する可能性が低い。
【００６２】
つまり、長距離通信パケットにおけるガード及びＲａｍｐ  ｕｐの時間長の合計Ｇと、短距離通信パケットにおけるバッファの時間長Ｂｓと、の合計が、長距離通信で想定される前後スロット間の最大干渉時間（図３のＬｌ／ｃ又は図４、５のＬ／ｃ）より長いため、前後スロット間のデータ干渉が発生する可能性が低い。
【００６３】
図３の説明では、長距離通信を行う長距離通信ノードとして、１台の通信衛星等を考慮している。変形例として、長距離通信を行う長距離通信ノードとして、複数の通信衛星等を考慮してもよい。長距離通信で割り付けられるスロットのうち、ペイロードより先行する期間に設定されるギャップタイムと、ペイロードに後続する期間に設定されるギャップタイムは、長距離通信ノードへの伝搬路長に応じて設定することができる。
【００６４】
図４、５の説明では、無線端末Ｗ１、Ｗ２、Ｗ３の間の伝搬路長は、固定されている。変形例として、無線端末Ｗ１、Ｗ２、Ｗ３の間の伝搬路長は、急激にかつ大幅に増減してもよい。無線端末Ｗ同士の間の伝搬路長が、長距離から短距離へと変化する場合には、無線端末Ｗ同士の間の伝送パケットは、ガード及びバッファを含むものから、バッファのみを含むものへと、変化させるのみで足りる。無線端末Ｗ同士の間の伝搬路長が、短距離から長距離へと変化する場合には、無線端末Ｗ同士の間の伝送パケットは、バッファのみを含むものから、ガード及びバッファを含むものへと、変化させるのみで足りる。
【産業上の利用可能性】
【００６５】
本発明の通信制御装置は、時間軸上のデータ衝突を回避する無線通信方式において、長距離通信及び短距離通信を混在させるにあたり、短距離通信の伝送効率を下げることなく、前後スロット間のデータ干渉を防止することができる。
【符号の説明】
【００６６】
Ｗ１、Ｗ２、Ｗ３：無線端末
１、１−１、１−２、１−３：通信制御装置
１１−１：無線ノード判別部
１１−２、１１−３：伝搬路長判別部
１２−１、１２−２、１２−３：ギャップタイム制御部
【図１】
2016201674.tif 000003
【図２】
2016201674.tif 000004
【図３】
2016201674.tif 000005
【図４】
2016201674.tif 000006
【図５】
2016201674.tif 000007
【図６】
2016201674.tif 000008
【図７】
2016201674.tif 000009
【図８】
2016201674.tif 000010